(57)【要約】      （修正有）【課題】天候不順等による大雨や大雪等による漏水を防ぐため、より高い防水性を発揮できる屋根のハゼ構造を提供する。【解決手段】屋根板Ｂを接続するハゼ構造Ａの防水層３が、上ハゼ２の立ち上げ面２０と対面する下ハゼ１の立ち上げ面１０から連続する折り返し面１１の端縁１２にわたる範囲に施されている。【選択図】図２
0003214970.tif 000002
【実用新案登録請求の範囲】
【請求項１】
一端縁に下ハゼが形成され、他端縁に上ハゼが形成された隣り合う屋根板同志の前記下ハゼと前記上ハゼとを重ね合わせて折り曲げて、隣り合う前記屋根板同志が接続されていると共に、前記下ハゼと前記上ハゼとの間に防水層が介在されたハゼ構造であって、
前記防水層が、前記上ハゼの立ち上げ面と対面する前記下ハゼの立ち上げ面から連続する折り返し面の端縁にわたる範囲に施されていることを特徴とする屋根のハゼ構造。
【請求項２】
前記防水層が、さらに、前記下ハゼの前記端縁を経て前記下ハゼの折り返し面の裏面に至る範囲まで延設されていることを特徴とする請求項１に記載の屋根のハゼ構造。  
【考案の詳細な説明】
【技術分野】
【０００１】
本考案は、金属製の屋根板同志を接続する屋根のハゼ構造に関する。
【背景技術】
【０００２】
金属製の屋根板同志を接続する屋根のハゼ構造は、防水性を高めるために、下記の特許文献１に記載されているように、下ハゼと上ハゼの間に防水テープを施したものが知られている。
【０００３】
特許文献１に記載されているハゼ構造は、横向きに折り曲げられた下ハゼの上面から下面にわたるように防水テープを配し、この防水テープの上方に、同じく横向きに折り曲げられた上ハゼの下面を重ね合わせると共に、横向きに折り曲げられた上ハゼの端部を下ハゼの下面に至るように折り曲げて、防水テープを挟持した状態で下ハゼと上ハゼとを連結し、さらに、重なり合った下ハゼと上ハゼの横向き部分を、下ハゼと上ハゼの立ち上がり部分と平行の縦向きになるように折り曲げることでハゼ構造を構成している。
【先行技術文献】
【特許文献】
【０００４】
【特許文献１】特開２００４−１９７４２１号公報
【考案の概要】
【考案が解決しようとする課題】
【０００５】
特許文献１に記載されているハゼ構造によると、下ハゼと上ハゼの折り曲げ部分から縦向きの端部にわたる防水構造を構成できるが、最近の天候不順等による大雨や大雪等による漏水を防ぐため、より高い防水性を発揮できるハゼ構造が望まれていた。
【課題を解決するための手段】
【０００６】
前記課題を解決するために、本考案は、以下の手段を採用した。
【０００７】
一端縁に下ハゼが形成され、他端縁に上ハゼが形成された隣り合う屋根板同志の前記下ハゼと前記上ハゼとを重ね合わせて折り曲げて、隣り合う前記屋根板同志が接続されていると共に、前記下ハゼと前記上ハゼとの間に防水層が介在されたハゼ構造であって、
前記防水層が、前記上ハゼの立ち上げ面と対面する前記下ハゼの立ち上げ面から連続する折り返し面の端縁にわたる範囲に施されていることを特徴とする屋根のハゼ構造にしたことである。
【０００８】
前記防水層が、前記折り返し面から前記端縁を経て該折り返し面の裏面に至る範囲まで延設されていることが好ましい。
【図面の簡単な説明】
【０００９】
【図１】本考案に係る第１実施形態のハゼ構造により接続された屋根板を示す断面図である。
【図２】図１の要部拡大図である。
【図３】防水テープの貼り付け形態を示す断面図である。
【図４】本考案に係る実施形態のハゼ構造を構成する工程図である。
【図５】本考案に係る第１実施形態のハゼ構造を示す拡大断面図である。
【考案を実施するための形態】
【００１０】
以下、本考案に係る第１実施形態のハゼ構造Ａを図１〜図３に基づいて説明する。
【００１１】
ハゼ構造Ａは、図１及び図２に示すように、一端縁に下ハゼ１が形成され、他端縁に上ハゼ２が形成された隣り合う屋根板Ｂ同志の下ハゼ１と上ハゼ２とを重ね合わせて折り曲げて、隣り合う屋根板Ｂ同志を接続すると共に、下ハゼ１と上ハゼ２との間に防水層３が施されている。
【００１２】
尚、例示した屋根板Ｂの形態は、一般的に広く用いられている形態のものであり、下ハゼ１と上ハゼ２とを重ね合わせて折り曲げた状態においては、防水層３の構成を除いて、現状のハゼ構造(図示せず)と同じである。
【００１３】
防水層３は、上ハゼ２の立ち上げ面２０と対面する下ハゼ１の立ち上げ面１０から連続する折り返し面１１の端縁１２にわたる範囲に施されており、立ち上げ面１０から端縁１２にわたる範囲の面と、この範囲の面と対面する上ハゼ２の立ち上げ面２０から折り返し面２１にわたる範囲の面との間に防水層３が密着状に介在されている。
【００１４】
防水層３は、ハゼ構造Ａを構成する作業の迅速化及び防水層３の高い防水性能の実現という観点から、防水テープ３０を用いている。
【００１５】
防水テープ３０は、防水部３００と粘着部３０１との２層構造のものであり、図３に示すように、下ハゼ１に粘着部３０１を貼り付けた下層とし、防水部３００を上層として配置し、防水部３００の上面に上ハゼ２を重ね合わせた状態で、下ハゼ１と上ハゼ２を折り曲げてハゼ構造Ａを構成するときに、防水部３００と粘着部３０１が下ハゼ１と上ハゼ２とで圧縮されると共に、この圧縮によって密着性及び接着性が高まるので、高い防水性能を有する防水層３を構成できる。
【００１６】
また、屋根板Ｂが長尺である場合、屋根板Ｂの長手方向の途中で防水テープ３０を繋ぐ必要があり、この場合、図３に示すように、長手方向で連続する防水テープ３０の端部３０Ａ、３０Ｂ同志を重ね合わせて貼り付けることで、繋ぎ合わせる部分の防水性を高めることができ、さらに、重ね合わせる際に接着性を有するコーキング剤３０Ｃを介在させてより高い防水性を確保している。
【００１７】
本実施形態のハゼ構造Ａによると、下ハゼ１の立ち上がり面１０から折り返し面１１の端縁１２にわたる範囲の面と、この範囲の面と対面する上ハゼ２の立ち上げ面２０から折り返し面２１にわたる範囲の面との間に密着状に介在された防水層３を備えているので、高い防水性を有する屋根Ｃを構築することができる。
【００１８】
次に、図４(ａ)〜(Ｂ)に基づいて、ハゼ構造Ａを構成する工程を説明する。
【００１９】
第１工程(図４(ａ))：下ハゼ１の立ち上がり面１０及び折り返し面１１にわたるように、防水テープ３０を貼り付けると共に、貼り付けた防水テープ３０の他方の面に、上ハゼ２を重ね合わせるように貼り付ける。
【００２０】
第２工程(図４(ｂ))：重ね合わせた上ハゼ２の折り返し面２１の端縁２２側を、下ハゼ１の折り返し面１１の端縁１２を巻き込むように折り返して、折り返し面１１の裏面１３と対面する巻き込み面２３を構成し、折り返し面２２と巻き込み面２３とで下ハゼ１の折り返し面１１を挟持する状態にすることで、下ハゼ１と上ハゼ２とが掛合した状態となる。
【００２１】
第３工程(図４(ｃ))：掛合した状態において、折り返し面１１、２１を、立ち上がり面１０、２０と平行になるように折り曲げることで、ハゼ構造Ａが構成される。
【００２２】
このハゼ構造Ａを構成する工程は、防水テープ３０の貼り付け構造を除いて、一般的に広く用いられている屋根板Ｂにおいて、現状のハゼ構造(図示せず)を構成する工程と同じであって、現状の工程と同じ工程でハゼ構造Ａを構成することができる。
【００２３】
次に、図５に基づいて、本考案に係る第２実施形態のハゼ構造Ａ’を説明するが、第１実施形態のハゼ構造Ａと重複する部位についての説明は、図面に同符号を付すことによって、省略する。
【００２４】
ハゼ構造Ａ’は、防水テープ３０を貼り付け範囲を、立ち上がり面１０から折り返し面１１を経て端縁１２を巻き込むように、立ち上がり面１０の裏面１３に至る範囲としている。
【００２５】
すなわち、ハゼ構造Ａ’は、前述した範囲に防水テープ３０を貼り付けることによって、下ハゼ１と上ハゼ２とが重なり合うすべての面にわたる範囲で防水層３が構成されているので、高い防水性を備えた屋根Ｃを構成することができる。
【００２６】
したがって、ハゼ構造Ａ、Ａ’は、前述の構成によって、より高い防水性を発揮でき、天候不順等による大雨や大雪等による漏水を防ぐことができる。
【００２７】
以上、本考案の実施形態について図面を参照して詳述してきたが、具体的な構成は、これらの実施の形態に限られるものではなく、本考案の要旨を逸脱しない範囲の設計の変更等があっても本発明に含まれる。
【００２８】
また、前述の各実施形態は、その目的及び構成等に特に矛盾や問題がない限り、互いの技術を流用して組み合わせることが可能である。
【符号の説明】
【００２９】
Ａ：ハゼ構造
Ａ’： ハゼ構造
Ｂ：屋根板
Ｃ：屋根
１：下ハゼ
２：上ハゼ
３：防水層
１０：立ち上げ面
２０：立ち上げ面
１１：折り返し面
２１：折り返し面
１２：端縁
２２：端縁
１３：裏面
【図１】
0003214970.tif 000003
【図２】
0003214970.tif 000004
【図３】
0003214970.tif 000005
【図４】
0003214970.tif 000006
【図５】
0003214970.tif 000007